(57)【要約】      （修正有）【課題】強度の高い光を容易に発することのできる発光装置を提供する。【解決手段】ロッド形状の複数の金属アンテナ１３を有し、光源１１からの入射光に対して、金属アンテナ１３内の電子が振動することにより光を輻射する光アンテナ効果による発光機構の金属アンテナ１３に、位相同期のための単極性ノイズを各金属アンテナ１３に与える。単極性ノイズは、雑音誘起位相同期の原理に従って、各金属アンテナ１３からの輻射光の位相を同期する。【選択図】図４
2017075976.tif 000002
【特許請求の範囲】
【請求項１】
ロッド形状の複数の金属アンテナを有し、入射光に対して、前記金属アンテナ内の電子が振動することにより光を輻射する発光機構と、
単極性ノイズを、前記金属アンテナに与える単極性ノイズ出力部と
を備える発光装置。
【請求項２】
前記単極性ノイズが前記金属アンテナに連続して作用する作用時間が、前記入射光の周期の1/2以下の時間である
請求項１に記載の発光装置。
【請求項３】
前記単極性ノイズ出力部は、
端面の電荷濃度が変調されることにより、前記単極性ノイズを出力する単極性ノイズ出力機構と、
前記単極性ノイズ出力機構の端面の電荷濃度を変調するランダム電磁波を発生するランダム電磁波発生部と
を有する
請求項１に記載の発光装置。
【請求項４】
前記単極性ノイズ出力機構は、誘電体を導体で挟んだコンデンサ構造を有する
請求項３に記載の発光装置。
【請求項５】
前記発光機構は、前記誘電体を挟む一方の導体側と他方の導体側とのそれぞれに、前記金属アンテナが配置された２段構造発光機構で構成される
請求項４に記載の発光装置。
【請求項６】
前記発光機構は、
前記金属アンテナの長手方向を所定の方向に向けて、前記金属アンテナが配置された前記２段構造発光機構と、
前記金属アンテナの長手方向を所定の方向と異なる方向に向けて、前記金属アンテナが配置された前記２段構造発光機構と
がマトリクス状に配置されて構成される
請求項５に記載の発光装置。
【請求項７】
前記複数の金属アンテナは、前記金属アンテナの長手方向を同一方向に向けて配置される
請求項１に記載の発光装置。
【請求項８】
ロッド形状の複数の金属アンテナを有し、入射光に対して、前記金属アンテナ内の電子が振動することにより光を輻射する発光機構の前記金属アンテナに、単極性ノイズを与えることを含む発光方法。
【発明の詳細な説明】
【技術分野】
【０００１】
本技術は、発光装置、及び、発光方法に関し、特に、強度の高い光を容易に発することができるようにする発光装置、及び、発光方法に関する。
【背景技術】
【０００２】
強い光源、すなわち、強度の高い光を発する光源を実現する方法としては、例えば、レンズや鏡による集光を行う方法や、レーザを利用する方法、光源自体に与えるエネルギを増加することで、発光量を増やす方法等がある。
【０００３】
しかしながら、レンズや鏡による集光を行う方法では、空間的に光を集光することにより強度を高めるため、相応の空間体積、すなわち、例えば、大きなレンズや大きな鏡が必要となる。レーザを利用する方法では、発する光の波長が限られる。光源に与えるエネルギを増加する方法では、例えば、光源に与える電圧や電流を増加する必要があるが、ユーザが、光源に与える電圧や電流を増加することは、一般に困難である。
【０００４】
ここで、信号系に外部から適当なノイズを加えることにより、信号系の位相を同期させることができる雑音誘起位相同期と呼ばれる技術が提案されている（例えば、非特許文献１を参照）。
【先行技術文献】
【非特許文献】
【０００５】
【非特許文献１】Utagawa A., Asai T., Hirose T., and Amemiya Y., "Noise-induced synchronization among sub-RF CMOS analog oscillators for skew-free clock distribution,“ IEICE Transactions on Fundamentals of Electronics, Communications and Computer, vol. E91-A, no. 9, pp. 2475-2481 (2008).
【発明の概要】
【発明が解決しようとする課題】
【０００６】
近年、オリジナルの光源に手を加えることなく、強度の高い光を発する光源を、容易に実現する技術の提案が要請されている。
【０００７】
本技術は、このような状況に鑑みてなされたものであり、強度の高い光を容易に発することができるようにするものである。
【課題を解決するための手段】
【０００８】
本技術の発光装置は、ロッド形状の複数の金属アンテナを有し、入射光に対して、前記金属アンテナ内の電子が振動することにより光を輻射する発光機構と、単極性ノイズを、前記金属アンテナに与える単極性ノイズ出力部とを備える発光装置である。
【０００９】
本技術の発光方法は、ロッド形状の複数の金属アンテナを有し、入射光に対して、前記金属アンテナ内の電子が振動することにより光を輻射する発光機構の前記金属アンテナに、単極性ノイズを与えることを含む発光方法である。
【００１０】
本技術の発光装置、及び、発光方法においては、入射光に対して、前記複数の金属アンテナ内の電子が振動することにより光を輻射する発光機構の前記金属アンテナに、単極性ノイズが与えられる。
【００１１】
なお、発光装置は、独立した装置であっても良いし、１つの装置を構成している内部ブロックであっても良い。
【発明の効果】
【００１２】
本技術によれば、強度の高い光を容易に発することができる。
【００１３】
なお、ここに記載された効果は必ずしも限定されるものではなく、本開示中に記載されたいずれかの効果であってもよい。
【図面の簡単な説明】
【００１４】
【図１】アンテナ効果を利用した発光装置の第１の構成例を示す図である。
【図２】アンテナ効果を利用した発光装置の第２の構成例を示す図である。
【図３】アンテナ効果を利用した発光装置の第３の構成例を示す図である。
【図４】発光装置の動作を説明する図である。
【図５】金属アンテナ１３に与える単極性ノイズとしての電界の例を示す図である。
【図６】雑音誘起位相同期の原理を説明する図である。
【図７】単極性ノイズ出力部２０の第２の構成例を示す図である。
【図８】単極性ノイズ出力機構３２が出力する単極性ノイズとしての電界が、金属アンテナ１３内の電荷に作用する作用力の大きさを説明する図である。
【図９】単極性ノイズとしての電界が、金属アンテナ１３内の電子の振動に与える作用を説明する図である。
【図１０】単極性ノイズ出力部２０の第３の構成例を示す図である。
【図１１】単極性ノイズ出力部２０の第４の構成例を示す図である。
【図１２】単極性ノイズ出力部２０の第５の構成例を示す図である。
【図１３】複数の金属アンテナ１３を有する発光機構１２の第２の構成例を示す図である。
【図１４】複数の金属アンテナ１３を有する発光機構１２の第３の構成例を示す図である。
【図１５】複数の金属アンテナ１３を有する発光機構１２の第４の構成例を示す図である。
【図１６】発光機構１２での複数の金属アンテナ１３の配置パターンの例を示す平面図である。
【発明を実施するための形態】
【００１５】
＜アンテナ効果を利用した発光装置の第１の構成例＞
【００１６】
図１は、アンテナ効果を利用した発光装置の第１の構成例を示す図である。
【００１７】
ここで、以下説明する発光装置は、照明装置や、分光により被写体を分析する（分光）分析機器の光源、内視鏡等の撮影装置の光源、画像を表示する表示装置の光源、距離を測定する測定装置の光源、光通信の光源、懐中電灯、その他の、光を発する任意の発光デバイスに適用することができる。
【００１８】
図１において、発光装置は、光源１１、及び、発光機構１２を有する。
【００１９】
なお、発光装置は、光源１１を設けずに構成し、光源１１は、発光装置とは別の装置として構成することができる。
【００２０】
光源１１は、発光機構１２に入射する入射光となる光としての電磁波を発する。光源１１が発する光は、入射光として、発光機構１２に照射される。
【００２１】
発光機構１２は、光源１１からの入射光に対して、光を輻射する。
【００２２】
発光機構１２は、１個の金属アンテナ１３を有する。金属アンテナ１３は、ナノメートルサイズのロッド形状の金属（ナノアンテナ）である。
【００２３】
ここで、ナノメートルサイズの金属に、電磁波を照射すると、（光）アンテナ効果により、ナノメートルサイズの金属において、電磁波の吸収及び放射（輻射）が行われることが知られている。
【００２４】
金属アンテナ１３は、アンテナ効果により、光源１１からの入射光に対して、光を輻射する。
【００２５】
すなわち、金属アンテナ１３内の電子（自由電子）が、光源１１からの入射光（電磁波）の電界によって、金属アンテナ１３内で振動し、これにより、金属アンテナ１３からは、入射光と同じ振動数の光が輻射される。
【００２６】
ここで、金属アンテナ１３内の電子の振動が共振する共振条件が満たされる場合には、電子の振動が発振し、金属アンテナ１３からは、より（光）強度の高い光が輻射される。
【００２７】
また、入射光の電界の振動（振幅）方向と、金属アンテナの長手方向とが、同一方向に揃っている場合には、金属アンテナ１３内の電子の振動の振幅が最大になり、入射光に対して、最も効率的に、光が輻射される。
【００２８】
＜アンテナ効果を利用した発光装置の第２の構成例＞
【００２９】
図２は、アンテナ効果を利用した発光装置の第２の構成例を示す図である。
【００３０】
なお、図中、図１の場合と対応する部分については、同一の符号を付してあり、以下では、その説明は、適宜省略する。
【００３１】
図２において、発光装置は、光源１１、及び、発光機構１２を有する点で、図１の場合と共通する。
【００３２】
但し、図２の発光装置は、発光機構１２が複数個の金属アンテナ１３を有する点で、発光機構１２が１個の金属アンテナ１３を有する図１の場合と相違する。
【００３３】
図２の発光装置では、発光機構１２が、複数個としての、例えば、４個の金属アンテナ１３を有する。発光機構１２が有する４個の金属アンテナ１３は、長手方向を同一方向に向け、長手方向の高さが揃うように、等間隔で、一直線上に水平方向に並ぶように配置されている。
【００３４】
ここで、図２では、発光機構１２が複数個としての、例えば、４個の金属アンテナ１３を有するが、発光機構１２に設ける複数個の金属アンテナ１３の個数は、４個に限定されるものではなく、２個や、３個、５個以上であっても良い。また、発光機構１２が有する複数個としての４個の金属アンテナ１３は、等間隔に並んでなくてもよい。
【００３５】
図２の発光装置では、上述のように、発光機構１２が、複数個の金属アンテナ１３を有し、各金属アンテナ１３が、光源１１からの入射光に対して光を輻射する。したがって、そのような複数個の金属アンテナ１３を有する発光機構１２が発する光は、図１の発光機構１２が発する光よりも強度が大になる。
【００３６】
ところで、発光機構１２に設ける金属アンテナ１３の個数を増加することにより、発光機構１２の光の増幅率、すなわち、入射光の強度に対する、発光機構１２が発する光の強度を大にすることができる。
【００３７】
しかしながら、発光機構１２を構成する複数の金属アンテナ１３のサイズの微小な誤差等に起因して、各金属アンテナ１３内の電子の振動の位相には、ずれ（位相ずれ）が生じることがある。
【００３８】
以上のような、各金属アンテナ１３内の電子の振動の位相のずれが生じる場合には、発光機構１２に設ける金属アンテナ１３の個数を増加しても、発光機構１２での入射光に対して、レーザのような光強度の増強（増幅）を行うことは難しい。
【００３９】
＜アンテナ効果を利用した発光装置の第３の構成例＞
【００４０】
図３は、アンテナ効果を利用した発光装置の第３の構成例を示す図である。
【００４１】
なお、図中、図２の場合と対応する部分については、同一の符号を付してあり、以下では、その説明は、適宜省略する。
【００４２】
図３において、発光装置は、光源１１、発光機構１２、及び、単極性ノイズ出力部２０を有する。
【００４３】
図３の発光装置は、光源１１、及び、発光機構１２を有する点で、図２の場合と共通する。
【００４４】
さらに、図３の発光装置は、発光機構１２が複数個の金属アンテナ１３を有する点で、図２の場合と共通する。
【００４５】
但し、図３の発光装置は、単極性ノイズ出力部２０を有する点で、そのような単極性ノイズ出力部２０を有しない図２の発光装置と相違する。
【００４６】
単極性ノイズ出力部２０は、プラス及びマイナスのうちの一方の極性のランダムなノイズである単極性ノイズを出力し、発光機構１２を構成する複数個の金属アンテナ１３に与える。
【００４７】
すなわち、単極性ノイズ出力部２０は、単極性ノイズとして、ランダムなタイミングで、ランダムな大きさだけ単極性（プラス又はマイナス）に変動する電界を発生し、複数個の金属アンテナ１３に印加する。
【００４８】
図３は、単極性ノイズ出力部２０の第１の構成例を示している。
【００４９】
図３では、単極性ノイズ出力部２０は、単極性ノイズ発生部２１、及び、金属バー２２を有する。
【００５０】
単極性ノイズ発生部２１は、単極性ノイズ、すなわち、例えば、マイナスの極性のノイズとしての電圧を発生し、金属バー２２に供給する。
【００５１】
金属バー２２は、一直線上に並ぶ複数の金属アンテナ１３の下部に、金属バー２２の長手方向と、複数の金属アンテナ１３が並ぶ方向とが一致するように配置されている。
【００５２】
ここで、金属アンテナ１３としては、例えば、安価で製造しやすいCuやAl、導電性の高いAuやAg、その他の任意の金属を採用することができる。なお、金属アンテナ１３としては、金属以外の、自由電子を有する材料を用いることができるが、電子の振動の発振効率（低抵抗で、自由電子の密度が高いこと）や工業的使い易さ等を勘案すると、金属を用いることが妥当である。
【００５３】
また、金属アンテナ１３のサイズについては、長手方向の長さとしては、例えば、入射光の波長程度を採用し、径としては、長手方向の長さの1/10程度を採用することができる。例えば、入射光として、可視光を採用する場合には、ロッド形状の金属アンテナ１３の径としては、例えば、数10ナノメール程度を採用し、長手方向の長さとしては、例えば、数ミクロン（マイクロメートル）程度を採用することができる。
【００５４】
さらに、金属アンテナ１３のサイズは、入射光と、金属アンテナ１３として用いる金属（中の電子の振動）の共振条件等を考慮して最適化することができる。
【００５５】
また、金属アンテナ１３としてのロッド形状の金属の底面（断面）の形状としては、円や、多角形、その他の任意の形状を採用することができる。
【００５６】
さらに、金属アンテナ１３の形状としては、ロッド形状の他、例えば、平板形状その他の、内部で自由電子が振動し得る任意の形状を採用することができる。
【００５７】
但し、金属アンテナ１３の形状としては、ロッド形状のような一方向性の形状異方性を有する形状を採用することが望ましい。金属アンテナ１３の形状として、ロッド形状を採用する場合には、金属アンテナ１３内の電子の振動方向を、ロッド形状の長手方向に制限することができる。さらに、ロッド形状の金属アンテナ１３によれば、入射光を局所領域に集光して輻射することができ、金属アンテナ１３がロッド形状であることは、入射光を金属アンテナ１３から輻射される光に変換する変換効率の点で有利である。
【００５８】
また、発光機構１２に設ける複数個の金属アンテナ１３の個数は、図２で説明したように、４個に限定されるものではなく、２個や、３個、５個以上であっても良い。発光機構１２に設ける複数個の金属アンテナ１３の個数によって、発光機構１２が輻射する光の光源サイズを任意に調整することができる。
【００５９】
図４は、図３の発光装置の動作を説明する図である。
【００６０】
図３の発光装置では、図２の場合と同様に、発光機構１２が有する各金属アンテナ１３において、その金属アンテナ１３内の電子(e-)が、光源１１からの入射光に対して振動し、その振動に応じて、光（電磁波）が輻射される。
【００６１】
但し、図２で説明したように、各金属アンテナ１３内の電子の振動には、位相ずれが生じ、そのため、金属アンテナ１３から輻射される光に、位相ずれが生じる。
【００６２】
一方、単極性ノイズ出力部２０では、単極性ノイズ発生部２１が、単極性ノイズを発生し、その単極性ノイズによって、金属バー２２の表面の電荷の濃度が、時間的にランダムに変調される。これにより、金属バー２２の周囲の電界強度が、時間的にランダムに単極性に変化し、電界強度が時間的にランダムかつ単極性に変化する電界が、単極性ノイズとして、複数の金属アンテナ１３に与えられる。
【００６３】
複数の金属アンテナ１３それぞれでは、金属アンテナ１３の下部の端面の電界強度が、金属バー２２から与えられる単極性ノイズとしての電界の影響を受けて、時間的にランダムに単極性に変動する。
【００６４】
金属アンテナ１３内の電荷の振動の位相は、金属アンテナ１３の下部の端面の、単極性ノイズによる電界強度の変動の影響を受けて変調される。
【００６５】
すなわち、金属アンテナ１３内の電荷の振動の位相が、単極性ノイズによって変調される。
【００６６】
この単極性ノイズによる変調によれば、後述する雑音誘起位相同期の原理に基づき、各金属アンテナ１３内の電荷の振動の位相が揃えられる（同期する）。その結果、各金属アンテナ１３から輻射される光の位相が揃い、発光機構１２全体としては、その発光機構２１が発する光の強度を、極めて大にすること、すなわち、発光機構１２の光の増幅率を、極めて大にすることができる。
【００６７】
以上のように、ロッド形状の複数の金属アンテナ１３を有し、入射光に対して、金属アンテナ１３内の電子が振動することにより光を輻射する発光機構１２の金属アンテナ１３に、単極性ノイズを与えることにより、強度の高い光を容易に発することができる。
【００６８】
すなわち、オリジナルの光源１１に手を加えることなく、その光源１１が発する入射光の強度を、単極性ノイズを金属アンテナ１３に与える単極性ノイズ出力部２０という簡便なデバイスの付加だけで増強することができる。
【００６９】
なお、図３では、単極性ノイズが、金属アンテナ１３の下部の端面に与えられるが、単極性ノイズは、金属アンテナ１３の下部の端面ではなく、上部の端面に与えることができる。
【００７０】
また、図３の発光装置は、例えば、金属アンテナ１３が、入射光に対してプラズモン共鳴を生じるように設計することができる。この場合、金属アンテナ１３では、入射光をレンズで集光した場合の回折限界を超えた局所的な集光が可能になり、いわば超集光が、各金属アンテナ１３内の電荷の振動の位相を揃えることによる光の強度の増強とともに可能となる。かかる超集光により、金属アンテナ１３のサイズの光を発する光源を実現することができる。
【００７１】
図５は、金属アンテナ１３に与える単極性ノイズとしての電界の例を示す図である。
【００７２】
単極性ノイズは、金属アンテナ１３内の電子の振動に対して、ノイズとなるように与える必要がある。
【００７３】
そのため、単極性ノイズが、金属アンテナ１３（内の電子の振動）に連続して作用する作用時間は、図５に示すように、入射光の周期の1/2以下（又は未満）の時間、特に、入射光の周期の1/2以下の時間よりも十分短い時間であることが望ましい。
【００７４】
この単極性ノイズの作用時間により、発光機構１２での光の増幅率を大にすることができる入射光（以下、増幅可能入射光ともいう）の振動数が制約される。
【００７５】
ここで、単極性ノイズの作用時間は、その単極性ノイズの元となるノイズ発生源（の振動数）によって決まる。
【００７６】
したがって、増幅可能入射光の振動数は、ノイズ発生源によって制約される。
【００７７】
例えば、ノイズ発生源として、振動数が1018 Hz程度のX線を用いる場合には、紫外線の振動数である1017 Hz程度以下の振動数の電磁波（例えば、可視光や赤外光等）が、増幅可能入射光となる。また、例えば、ノイズ発生源として、振動数が1014ないし1015 Hz程度の可視光を用いる場合には、振動数が1013 Hz以下の電磁波（例えば、THz波領域の電磁波）が、増幅可能入射光となる。
【００７８】
なお、ノイズ発生源としては、例えば、連続光を用いることができる。また、ノイズ発生源としては、連続光の他、例えば、フェムト秒レーザのようなパルス光を用いることができる。
【００７９】
＜雑音誘起位相同期の原理＞
【００８０】
図６は、非特許文献１に記載されている雑音誘起位相同期の原理を説明する図である。
【００８１】
図６では、同一仕様の２個の振り子p1及びp2が並んでおり、図中、横方向に振動している。また、振り子p1及びp2の振動の位相は、ずれている。
【００８２】
ここで、図６において、A,B,C,Dは、振り子の位相平面上の位相を表し、位相平面の第１象限、第２象限、第３象限、第４象限のある位相を、それぞれ表す。
【００８３】
いま、振り子p1は、位相Cにあって、平衡位置（点）に戻ってくる状態にあり、振り子p2は、位相Bにあって、平衡位置から遠ざかる状態にある。
【００８４】
２個の振り子p1及びp2に対して、一方向（図６では、左方向）から、突風が吹くと、その突風は、２個の振り子p1及びp2に対して、以下のように作用する。
【００８５】
すなわち、平衡位置に戻ってくる状態の振り子p1に対しては、振り子p1が戻ってくる方向とは逆方向の押し戻す力が働き、振り子P1の位相は、少し遅れる。一方、平衡位置から遠ざかる振り子p2に対しては、振り子p2が遠ざかる方向と同一方向の力が働き、振り子p2の位相は、少し進む。
【００８６】
したがって、振り子p1及びp2に対して、一方向から、時々、突風が吹いてくると、振り子p1及びp2に対して、上述のような作用が繰り返し働き、やがて、振り子p1及びp2の位相は揃ってくる。
【００８７】
以上のように、位相がずれている振り子p1及びp2に対して、時々、突風が吹いてくることによって、振り子p1及びp2の位相が揃うが、これが、雑音誘起位相同期の原理である。
【００８８】
ここで、雑音誘起位相同期によって、振り子p1及びp2の位相が揃うためには、突風は、一方向のみから吹くことが必要である。さらに、突風は、振り子p1及びp2の周期振動を変質させないように、摂動として働くことが必要である。
【００８９】
したがって、突風の強さは、振り子p1及びp2の振幅よりも十分に小さいこと、及び、突風の作用時間（突風が連続して吹いている時間）が、振り子p1及びp2の周期の1/2より（十分）短いことが必要となる。
【００９０】
非特許文献１には、信号系に外部から、上述の突風となる適当なノイズを加えることにより、信号系の位相を同期させる雑音誘起位相同期の技術が記載されている。
【００９１】
本技術では、この雑音誘起位相同期を、金属アンテナ１３内の電子の振動に適用し、その電子の振動の位相、ひいては、各金属アンテナ１３から輻射される光の位相を揃えることで、複数の金属アンテナ１３を有する発光機構２１が発する光の強度を増強させる。
【００９２】
これにより、本技術では、様々な波長の光を発する、いわば裸のレーザを実現すること、すなわち、雑音誘起位相同期によって、固体材料（キャビティ）を用いずに、光の位相を揃えて、強度の高い光を発することができる。
【００９３】
＜単極性ノイズ出力部２０の構成例＞
【００９４】
図７は、単極性ノイズ出力部２０の第２の構成例を示す図である。
【００９５】
図７において、単極性ノイズ出力部２０は、ランダム電磁波発生部３１、及び、複数の単極性ノイズ出力機構３２を有する。
【００９６】
ランダム電磁波発生部３１は、ランダムな電磁波（ランダム電磁波）を発生し、ノイズ光として出力する。
【００９７】
ランダム電磁波発生部３１としては、例えば、乱数発生器と連動したパルスX線照射器等を用いることができる。ランダム電磁波発生部３１が出力するノイズ光の強度や、ノイズ光を単極性ノイズ出力機構３２に照射する照射方向、ノイズ光の偏光方向、ノイズ光の位相は、ランダムでよく、特に制御を行う必要はない。
【００９８】
ここで、ランダム電磁波発生部３１が出力するランダム電磁波は、電界が、プラス及びマイナスのいずれの極性にも振動し得る電磁波である。そのため、ランダム電磁波発生部３１が出力するランダム電磁波を、金属アンテナ１３に直接照射しても、金属アンテナ１３に対して、単極性ノイズを与えていることにはならない。したがって、雑音誘起位相同期の原理は働かず各金属アンテナ１３内の電荷の振動の位相は揃わない。
【００９９】
単極性ノイズ出力機構３２は、例えば、発光機構１２が有する複数の金属アンテナ１３と同一の数だけ設けられる。１個の単極性ノイズ出力機構３２は、１個の金属アンテナ１３の上部及び下部のうちの一方である、例えば、下部に配置される。したがって、金属アンテナ１３は、単極性ノイズ出力機構３２を構成する、後述する導体４２及び４３のうちの一方側である、導体４２側に配置される。
【０１００】
単極性ノイズ出力機構３２には、ランダム電磁波発生部３１が出力するノイズ光が照射される。単極性ノイズ出力機構３２は、ノイズ光の照射に応じて、単極性ノイズとしての電界を出力し、金属アンテナ１３に与える。
【０１０１】
単極性ノイズ出力機構３２は、電池４１、導体４２及び４３、並びに、誘電体４４を有する。
【０１０２】
単極性ノイズ出力機構３２は、短いロッド形状の導体４２と４３とで、誘電体４４を挟んだコンデンサ構造を有し、導体４２には、電池４１のマイナス端子が接続され、導体４３には、電池４１のプラス端子が接続されている。
【０１０３】
ここで、単極性ノイズ出力機構３２の導体４２を、上側の導体４２ともいい、導体４３を、下側の導体４３ともいう。
【０１０４】
以上のように構成される単極性ノイズ出力部２０では、ランダム電磁波発生部３１が出力するノイズ光が、単極性ノイズを励起するノイズ励起光として、単極性ノイズ出力機構３２に照射される。
【０１０５】
単極性ノイズ出力機構３２では、ノイズ光の照射に応じて、コンデンサ構造の上側の導体４２及び下側の導体４３の内部の電荷がランダムに振動し、上側の導体４２及び下側の導体４３の端面における電荷濃度が変調される。
【０１０６】
その結果、上側の導体４２及び下側の導体４３の端面から生じる電界の電界強度がランダムに変調される。
【０１０７】
ここで、以上のように、単極性ノイズ出力機構３２では、ランダム電磁波発生部３１が出力するノイズ光に応じて、上側の導体４２及び下側の導体４３の端面における電荷濃度が変調される。したがって、ランダム電磁波発生部３１が出力するノイズ光は、単極性ノイズ出力機構３２の端面の電荷濃度を変調するランダム電磁波であるということができる。
【０１０８】
単極性ノイズ出力機構３２では、上側の導体４２及び下側の導体４３は、電池４１のマイナス端子及びプラス端子に、それぞれ接続されている。
【０１０９】
そのため、上側の導体４２の端面から生じるランダムな電界は、マイナスの極性の電界になり、下側の導体４３の端面から生じるランダムな電界は、プラスの極性の電界になる。
【０１１０】
すなわち、上側の導体４２からは、単極性ノイズであるマイナスの極性の電界が出力され、下側の導体４３からは、単極性ノイズであるプラスの極性の電界が出力される。
【０１１１】
単極性ノイズ出力部２０では、上側の導体４２から出力される単極性ノイズが、図６で説明した、時々吹く突風として、金属アンテナ１３に与えられる。
【０１１２】
ここで、単極性ノイズ出力部２０において、ランダム電磁波発生部３１は、ノイズ光を、複数の単極性ノイズ出力機構３２のそれぞれに均等に照射する。これにより、ランダム電磁波発生部３１は、各単極性ノイズ出力機構３２の導体４２（４３）内の電荷を同期して振動させ、各単極性ノイズ出力機構３２の導体４２から、同一パターンの電界を、単極性ノイズとして出力させる。
【０１１３】
なお、単極性ノイズ出力部２０は、ランダム電磁波発生部３１が出力するノイズ光が、単極性ノイズ出力機構３２に照射された場合に、導体４２（４３）において、プラズモン共鳴を起こるように設計することができる。この場合、単極性ノイズ出力機構３２での単極性ノイズとしての電界の発生効率を向上させることができる。
【０１１４】
また、導体４２（４３）から単極性ノイズとしての電界を出力させるために電荷濃度を変調する電荷は、負電荷及び正電荷のうちのいずれであっても良い。
【０１１５】
図８は、図７の単極性ノイズ出力機構３２が出力する単極性ノイズとしての電界が、金属アンテナ１３内の電荷に作用する作用力の大きさを説明する図である。
【０１１６】
単極性ノイズ出力機構３２の（例えば、上側の導体４２の）端面に、電荷が集まっている場合には、その端面の電荷濃度が高くなる。この場合、単極性ノイズとして、強い電界が生じ、その強い電界としての単極性ノイズは、金属アンテナ１３内の電荷の振動に強く作用する。
【０１１７】
一方、単極性ノイズ出力機構３２の端面から、電荷が遠ざかっている場合には、その端面の電荷濃度が低くなる。この場合、単極性ノイズとして、弱い電界が生じ、その弱い電界としての単極性ノイズは、金属アンテナ１３内の電荷の振動に弱く作用する。
【０１１８】
図８のＡは、単極性ノイズ出力機構３２の端面の電荷濃度が高く、単極性ノイズとして、強い電界が生じている様子を示しており、図８のＢは、単極性ノイズ出力機構３２の端面の電荷濃度が低く、単極性ノイズとして、弱い電界が生じている様子を示している。図８のＣは、単極性ノイズ出力機構３２の端面の電荷濃度が中くらいで、単極性ノイズとして、中くらいの電界が生じている様子を示している。
【０１１９】
図９は、単極性ノイズとしての電界が、金属アンテナ１３内の電子の振動に与える作用を説明する図である。
【０１２０】
金属アンテナ１３内を振動している電子の進行方向により、単極性ノイズとしての電界が、金属アンテナ１３内の電子の振動に与える作用は逆になる。
【０１２１】
すなわち、金属アンテナ１３内を振動している電子が、単極姓ノイズ出力機構３２に近づく方向に移動している場合、単極性ノイズとしての電界は、例えば、金属アンテナ１３内を振動している電子を、単極姓ノイズ出力機構３２から遠ざかる方向に押し戻すように作用する。
【０１２２】
一方、金属アンテナ１３内を振動している電子が、単極姓ノイズ出力機構３２から遠ざかる方向に移動している場合、単極性ノイズとしての電界は、例えば、金属アンテナ１３内を振動している電子を、単極姓ノイズ出力機構３２から遠ざかる方向に加速させるように作用する。
【０１２３】
以上のように、単極性ノイズとしての電界が、金属アンテナ１３内の電子の振動に作用することで、複数の金属アンテナ１３内の電子の振動の位相は、雑音誘起位相同期の原理により徐々に揃っていく。
【０１２４】
図１０は、単極性ノイズ出力部２０の第３の構成例を示す図である。
【０１２５】
なお、図中、図７の場合と対応する部分については、同一の符号を付してあり、以下では、その説明は、適宜省略する。
【０１２６】
図１０の単極性ノイズ出力部２０は、図７の単極性ノイズ出力部２０において、複数の単極性ノイズ出力機構３２の下側の導体４３を共通化した構成になっている。
【０１２７】
すなわち、図７において、単極性ノイズ出力部２０は、ランダム電磁波発生部３１、及び、単極性ノイズ出力機構５０を有する。
【０１２８】
単極性ノイズ出力機構５０は、金属バー５１、及び、複数の出力ロッド部５２を有する。
【０１２９】
出力ロッド部５２は、例えば、発光機構１２が有する複数の金属アンテナ１３と同一の数だけ設けられる。１個の出力ロッド部５２は、１個の金属アンテナ１３の、上部及び下部のうちの一方である、例えば、下部に配置される。したがって、金属アンテナ１３は、出力ロッド５２を構成する、後述する導体４２側に配置される。
【０１３０】
出力ロッド部５２には、ランダム電磁波発生部３１が出力するノイズ光が照射される。出力ロッド部５２は、ノイズ光の照射に応じて、単極性ノイズとしての電界を出力し、金属アンテナ１３に与える。
【０１３１】
出力ロッド部５２は、導体４２、及び、誘電体４４を有する。
【０１３２】
出力ロッド部５２の誘電体４４は、出力ロッド部４２の導体４２と金属バー５１とで挟まれており、したがって、出力ロッド部５２は、金属バー５１とともにコンデンサ構造を構成する。
【０１３３】
以上のように構成される単極性ノイズ出力部２０では、ランダム電磁波発生部３１が出力するノイズ光が、単極性ノイズを励起するノイズ励起光として、単極性ノイズ出力機構５０に照射される。
【０１３４】
単極性ノイズ出力機構５０では、ノイズ光の照射に応じて、コンデンサ構造を構成する導体４２及び金属バー５１の内部の電荷がランダムに振動し、導体４２の端面及び金属バー５１の下面（下側の端面）における電荷濃度が変調される。
【０１３５】
その結果、導体４２及び金属バー５１の端面から生じる電界の強度がランダムに変調される。
【０１３６】
単極性ノイズ出力機構５０において、導体４２及び金属バー５１は、電池４１のマイナス端子及びプラス端子に、それぞれ接続されている。
【０１３７】
そのため、導体４２の端面から生じるランダムな電界は、マイナスの極性の電界になり、金属バー５１の端面から生じるランダムな電界は、プラスの極性の電界になる。
【０１３８】
すなわち、導体４２からは、単極性ノイズであるマイナスの極性の電界が出力され、金属バー５１からは、単極性ノイズであるプラスの極性の電界が出力される。
【０１３９】
単極性ノイズ出力部２０では、導体４２から出力される単極性ノイズが、図６で説明した、時々吹く突風として、金属アンテナ１３に与えられる。
【０１４０】
図１１は、単極性ノイズ出力部２０の第４の構成例を示す図である。
【０１４１】
なお、図中、図７の場合と対応する部分については、同一の符号を付してあり、以下では、その説明は、適宜省略する。
【０１４２】
図１１において、単極性ノイズ出力部２０は、ランダム電磁波発生部３１、及び、単極性ノイズ出力機構６０を有する。
【０１４３】
単極性ノイズ出力機構６０は、平板形状をしており、上面又は下面から単極性ノイズとしての電界を出力し、金属アンテナ１３に与える。
【０１４４】
ここで、平板形状の単極性ノイズ出力機構６０の上面（下面）の長手方向の長さは、発光機構１２が有する複数の金属アンテナ１３の並びの長さ以上の長さになっている。
【０１４５】
単極性ノイズ出力機構６０は、発光機構１２が有する複数の金属アンテナ１３の並びの上部及び下部のうちの一方である、例えば、下部に配置される。したがって、金属アンテナ１３は、単極性ノイズ出力機構６０を構成する、後述する導体６２及び６３のうちの一方側である導体６２側に配置される。
【０１４６】
単極性ノイズ出力機構６０には、ランダム電磁波発生部３１が出力するノイズ光が照射される。単極性ノイズ出力機構６０は、ノイズ光の照射に応じて、単極性ノイズとしての電界を出力し、金属アンテナ１３に与える。
【０１４７】
単極性ノイズ出力機構６０は、電池６１、導体６２及び６３、並びに、誘電体６４を有する。
【０１４８】
単極性ノイズ出力機構６０は、平板形状の導体６２と６３とで、誘電体６４を挟んだコンデンサ構造を有し、導体６２には、電池６１のマイナス端子が接続され、導体６３には、電池６１のプラス端子が接続されている。
【０１４９】
ここで、単極性ノイズ出力機構６０の導体６２を、上側の導体６２ともいい、導体６３を、下側の導体６３ともいう。
【０１５０】
以上のように構成される単極性ノイズ出力部２０では、ランダム電磁波発生部３１が出力するノイズ光が、単極性ノイズを励起するノイズ励起光として、単極性ノイズ出力機構６０に照射される。
【０１５１】
単極性ノイズ出力機構６０では、ノイズ光の照射に応じて、コンデンサ構造の上側の導体６２及び下側の導体６３の内部の電荷がランダムに振動され、上側の導体６２及び下側の導体６３の端面における電荷濃度が変調される。
【０１５２】
その結果、上側の導体６２及び下側の導体６３の端面、すなわち、上側の導体６２の上面（上側の端面）、及び、下側の導体６３の下面（下側の端面）から生じる電界の強度がランダムに変調される。
【０１５３】
上側の導体６２及び下側の導体６３は、電池６１のマイナス端子及びプラス端子に、それぞれ接続されている。
【０１５４】
そのため、上側の導体６２の上面から生じるランダムな電界は、マイナスの極性の電界になり、下側の導体６３の下面から生じるランダムな電界は、プラスの極性の電界になる。
【０１５５】
すなわち、上側の導体６２からは、単極性ノイズであるマイナスの極性の電界が出力され、下側の導体６３からは、単極性ノイズであるプラスの極性の電界が出力される。
【０１５６】
単極性ノイズ出力部２０では、上側の導体６２から出力される単極性ノイズが、図６で説明した、時々吹く突風として、金属アンテナ１３に与えられる。
【０１５７】
単極性ノイズ出力部２０では、上側の導体６２から出力される単極性ノイズを、発光機構１２の複数の金属アンテナ１３全体に与えるため、上述したように、平板形状の単極性ノイズ出力機構６０の上面（下面）の長手方向の長さが、発光機構１２が有する複数の金属アンテナ１３の並びの長さ以上の長さになっている。
【０１５８】
図１２は、単極性ノイズ出力部２０の第５の構成例を示す図である。
【０１５９】
なお、図中、図７の場合と対応する部分については、同一の符号を付してあり、以下では、その説明は、適宜省略する。
【０１６０】
図１２において、単極性ノイズ出力部２０は、ランダム電磁波発生部３１、及び、単極性ノイズ出力機構７０を有する。
【０１６１】
単極性ノイズ出力機構７０は、平板形状のホール素子で構成され、上面又は下面から単極性ノイズとしての電界を出力し、金属アンテナ１３に与える。
【０１６２】
ここで、平板形状のホール素子としての単極性ノイズ出力機構７０の上面（下面）の長手方向の長さ、すなわち、図１２において、x方向の長さは、発光機構１２が有する複数の金属アンテナ１３の並びの長さ以上の長さになっている。
【０１６３】
単極性ノイズ出力機構７０は、発光機構１２が有する複数の金属アンテナ１３の並びの上部及び下部のうちの一方である、例えば、下部に配置される。したがって、金属アンテナ１３は、単極性ノイズ出力機構７０のy方向の正側の面（上面）、及び、負側の面（下面）のうちの一方側であるy方向の正側の面側に配置される。
【０１６４】
単極性ノイズ出力機構７０には、x方向の正側に向かって、電流Iが流され、z方向の正側に向かう磁場Bがかけられる。
【０１６５】
さらに、単極性ノイズ出力機構７０には、ランダム電磁波発生部３１が出力するノイズ光が照射される。電流I及び磁場Bが与えられているホール素子である単極性ノイズ出力機構７０は、ノイズ光の照射に応じて、単極性ノイズとしての電界を出力し、金属アンテナ１３に与える。
【０１６６】
すなわち、電流I及び磁場Bが与えられているホール素子である単極性ノイズ出力機構７０では、上面（y方向の正側の面）が、プラス及びマイナスのうちの一方の極性である、例えば、マイナスに帯電するとともに、下面（y方向の負側の面）が、他方の極性であるプラスに帯電する。
【０１６７】
単極性ノイズ出力機構７０では、ノイズ光の照射に応じて、内部の電荷がランダムに振動され、上面及び下面における電荷濃度が変調される。
【０１６８】
その結果、単極性ノイズ出力機構７０の上面及び下面から生じる電界の強度がランダムに変調される。
【０１６９】
上述したように、単極性ノイズ出力機構７０の上面及び下面は、マイナス及びプラスに、それぞれ帯電している。
【０１７０】
そのため、単極性ノイズ出力機構７０の上面から生じるランダムな電界は、マイナスの極性の電界になり、下面から生じるランダムな電界は、プラスの極性の電界になる。
【０１７１】
すなわち、ホール素子である単極性ノイズ出力機構７０の上面からは、単極性ノイズであるマイナスの極性の電界が出力され、下面からは、単極性ノイズであるプラスの極性の電界が出力される。
【０１７２】
単極性ノイズ出力部２０では、単極性ノイズ出力機構７０の上面から出力される単極性ノイズが、図６で説明した、時々吹く突風として、金属アンテナ１３に与えられる。
【０１７３】
ここで、単極性ノイズ出力機構７０の上面から出力される単極性ノイズを、発光機構１２の複数の金属アンテナ１３全体に与えるため、発光機構１２が有する複数の金属アンテナ１３は、単極性ノイズ出力機構７０の上面の上側に並んでいる。
【０１７４】
なお、上述の場合には、ホール素子である単極性ノイズ出力機構７０の上面及び下面における電荷濃度の変調を、単極性ノイズ出力機構７０にノイズ光を照射することで行ったが、単極性ノイズ出力機構７０の上面及び下面における電荷濃度の変調は、その他、例えば、ホール素子である単極性ノイズ出力機構７０に与える電流I及び磁場Bのうちの一方、又は、両方を変調することで行うことができる。
【０１７５】
また、単極性ノイズ出力部２０において、単極性ノイズ出力機構３２，５０，６０，７０（図７、図１０ないし図１２）に対して、ランダム電磁波発生部３１からノイズ光を照射する照射方向については、特に限定されるものではない。但し、光源１１とランダム電磁波発生部３１とは、光源１１から照射する入射光と、ランダム電磁波発生部３１から照射するノイズ光とが対向しない位置関係となるように配置する必要がある。
【０１７６】
さらに、単極性ノイズ出力部２０では、単極性ノイズ出力機構３２，５０，６０，７０（図７、図１０ないし図１２）に対して、ランダム電磁波発生部３１からノイズ光を照射することにより、単極性ノイズを出力することとしたが、すなわち、導体４２や６２、ホール素子の端面から生じる電界の電界強度をランダムに変調することとしたが、その他、単極性ノイズ出力機構３２，５０，６０，７０自体を、圧電素子等により機械的にランダム振動させることにより、導体４２や６２、ホール素子の端面から生じる電界の強度をランダムに変調することができる。この場合、単極性ノイズ出力部２０は、ランダム電磁波発生部３１なしで構成することができる。
【０１７７】
また、導体４２や６２、ホール素子の端面から生じる電界の強度をランダムに変調することは、単極性ノイズ出力機構３２，５０，６０，７０に対して、ランダム電磁波発生部３１からノイズ光を照射するとともに、単極性ノイズ出力機構３２，５０，６０，７０自体を機械的にランダム振動させることにより行うことができる。
【０１７８】
＜複数の金属アンテナ１３を有する発光機構１２の構成例＞
【０１７９】
図１３は、複数の金属アンテナ１３を有する発光機構１２の第２の構成例を示す図である。
【０１８０】
なお、図中、図３の場合と対応する部分については、同一の符号を付してあり、以下では、その説明は、適宜省略する。
【０１８１】
また、以下では、説明を簡単にするため、単極性ノイズ出力部２０として、例えば、単極性ノイズ出力機構３２を有する図７の単極性ノイズ出力部２０を採用することとする。但し、単極性ノイズ出力部２０としては、その他、例えば、単極性ノイズ出力機構５０，６０、又は、７０を有する図１０、図１１、又は、図１２の単極性ノイズ出力部２０を採用することができる。
【０１８２】
上述の図３は、複数の金属アンテナ１３を有する発光機構１２の第１の構成例を示している。
【０１８３】
図３の発光機構１２は、高さを揃えて、水平方向に並べられた複数の金属アンテナ１３を１段だけ有するが、図１３の発光機構１２は、高さを揃えて、水平方向に並べられた複数の金属アンテナ１３を２段に重ねた２段構造になっている。
【０１８４】
すなわち、図１３の発光機構１２は、コンデンサ構造を有する単極性ノイズ出力機構３２の誘電体４４を挟む上側の導体（一方の導体）４２側と、下側の導体（他方の導体）４３側とのそれぞれに、複数の金属アンテナ１３が配置された、いわば２段構造発光機構になっている。
【０１８５】
上側の導体４２側に配置された金属アンテナ１３には、導体４２での負電荷の電荷濃度の変調により出力される単極性ノイズとしての電界が与えられる。これにより、上側の導体４２側に配置された複数の金属アンテナ１３が輻射する光（電磁波）は、雑音誘起位相同期の原理に基づき、位相が揃った光になる。
【０１８６】
さらに、下側の導体４３側に配置された金属アンテナ１３には、導体４３での正電荷の電荷濃度の変調により出力される単極性ノイズとしての電界が与えられる。これにより、下側の導体４３側に配置された複数の金属アンテナ１３が輻射する光（電磁波）は、雑音誘起位相同期の原理に基づき、位相が揃った光になる。
【０１８７】
以上のように、発光機構１２を、２段構造発光機構に構成することで、上側の導体４２側に配置された複数の金属アンテナ１３と、下側の導体４３側に配置された複数の金属アンテナ１３との２段構造になっている複数の金属アンテナ１３に対して、同時に、単極性ノイズを与えることができる。
【０１８８】
なお、発光機構１２を、図１３に示した２段構造発光機構に構成する場合において、上側の導体４２側及び下側の導体４３側に配置する複数の金属アンテナ１３の数は、特に限定されるものではない。
【０１８９】
図１４は、複数の金属アンテナ１３を有する発光機構１２の第３の構成例を示す図である。
【０１９０】
なお、図中、図１３の場合と対応する部分については、同一の符号を付してあり、以下では、その説明は、適宜省略する。
【０１９１】
図１４の発光機構１２は、２個の２段構造発光機構１２Ｖ及び１２Ｈが（マトリクス状に）同一平面上に配置されて構成される。
【０１９２】
２段構造発光機構１２Ｖ及び１２Ｈは、図１３の発光機構１２と同様に構成される。
【０１９３】
但し、２段構造発光機構１２Ｖ及び１２Ｈは、複数の金属アンテナ１３の配置方向が異なっている。
【０１９４】
すなわち、２段構造発光機構１２Ｖでは、複数の金属アンテナ１３（及び単極性ノイズ出力機構３２）が、長手方向を、所定の方向としての、例えば、縦（垂直）方向に向けて配置されているのに対して、２段構造発光機構１２Ｈでは、複数の金属アンテナ１３が、長手方向を、所定の方向とは異なる方向としての、例えば、横（水平）方向に向けて配置されている点で、２段構造発光機構１２Ｖと１２Ｈとは、相違する。
【０１９５】
以上のように、図１４の発光機構１２では、複数の金属アンテナ１３の配置方向が異なる２段構造発光機構１２Ｖ及び１２Ｈが同一平面上に配置されて構成されるので、入射光の偏光方向に対する、発光機構１２の偏光依存性を低減し、より強度の高い光を発することができる。
【０１９６】
なお、発光機構１２は、２段構造発光機構１２Ｖ及び１２Ｈのうちの一方、又は、両方と、２段構造発光機構１２Ｖ及び１２Ｈとは複数の金属アンテナ１３の配置方向が異なる２段構造発光機構、すなわち、例えば、複数の金属アンテナ１３の配置方向が斜め４５度の方向の２段構造発光機構（以下、斜め２段構造発光機構ともいう）とを、同一平面上に配置して構成することができる。
【０１９７】
２段構造発光機構１２Ｖ及び１２Ｈの両方と、斜め２段構造発光機構とを同一平面上に配置して、発光機構１２を構成する場合には、発光機構１２の偏光依存性を、さらに低減し、より強度の高い光を発することができる。
【０１９８】
また、図１４では、２個の２段構造発光機構１２Ｖ及び１２Ｈを同一平面上に配置して、発光機構１２を構成することとしたが、発光機構１２は、より多くの数の２段構造発光機構１２Ｖ及び１２Ｈを同一平面上にマトリクス状に配置して構成することができる。
【０１９９】
図１５は、複数の金属アンテナ１３を有する発光機構１２の第４の構成例を示す図である。
【０２００】
なお、図中、図１４の場合と対応する部分については、同一の符号を付してあり、以下では、その説明は、適宜省略する。
【０２０１】
図１５の発光機構１２は、合計で９個の２段構造発光機構１２Ｖ及び１２Ｈがマトリクス状に同一平面上に配置されて構成される。
【０２０２】
図１５の発光機構１２では、２段構造発光機構１２Ｖ及び１２Ｈが、垂直方向と水平方向に交互に、チェック模様状に位置されている。
【０２０３】
以上のように、より多くの数の２段構造発光機構１２Ｖ及び１２Ｈで、発光機構１２を構成することにより、より強度の高い光を発することができる。
【０２０４】
なお、図１５では、発光機構１２を、２段構造発光機構１２Ｖ及び１２Ｈとで構成することとしたが、発光機構１２は、その他、例えば、２段構造発光機構１２Ｖ及び１２Ｈのうちの一方、又は、両方と、図１４で説明した斜め２段構造発光機構とで構成することができる。
【０２０５】
また、図１５では、合計で９個の２段構造発光機構１２Ｖ及び１２Ｈが、３×３（横×縦）に配置されているが、発光機構１２は、９個未満又は９個より多い数の２段構造発光機構（２段構造発光機構１２Ｖや１２Ｈ、斜め２段構造発光機構等）をn×mのマトリクス状に配置して構成することができる。
【０２０６】
発光機構１２を構成する２段構造発光機構の個数によって、発光機構１２が輻射する光の光源サイズを任意に調整することができる。
【０２０７】
さらに、図３や図１３ないし図１５に示した発光機構１２は、多段に配置することができる。発光機構１２を多段に配置することにより、その多段の発光機構１２では、前段の発光機構１２が輻射する光を入射光として、光の増強が繰り返し行われるので、より強度の高い光を得ることができる。
【０２０８】
また、発光機構１２において、複数の金属アンテナ１３を配置する配置パターンは、特に限定されるものではなく、製造上の利便性等を考慮して、適宜、任意の配置パターンを採用することができる。
【０２０９】
＜複数の金属アンテナ１３の配置パターンの例＞
【０２１０】
図１６は、発光機構１２での複数の金属アンテナ１３の配置パターンの例を示す平面図である。
【０２１１】
発光機構１２において、複数の金属アンテナ１３は、例えば、図１６のＡに示すように、（上から見て）一直線状に並ぶように配置することができる。
【０２１２】
また、複数の金属アンテナ１３は、例えば、図１６のＢに示すように、円弧状に並ぶように配置することができる。
【０２１３】
さらに、複数の金属アンテナ１３は、例えば、図１６のＣに示すように、格子状に並ぶように配置することができる。
【０２１４】
また、複数の金属アンテナ１３の配置は、例えば、図１６のＤに示すように、図１６のＣの金属アンテナ１３のうちの、１列ごとの金属アンテナ１３の位置を（金属アンテナ１３どうしの間隔の1/2だけ）ずらした配置にすることができる。
【０２１５】
さらに、複数の金属アンテナ１３は、例えば、図１６のＥに示すように、１個の単極性ノイズ出力機構３２の上部に、２以上の金属アンテナ１３が位置するように配置することができる。
【０２１６】
ここで、本技術の実施の形態は、上述した実施の形態に限定されるものではなく、本技術の要旨を逸脱しない範囲において種々の変更が可能である。
【０２１７】
また、本明細書に記載された効果はあくまで例示であって限定されるものではなく、他の効果があってもよい。
【０２１８】
なお、本技術は、以下の構成をとることができる。
【０２１９】
＜１＞
ロッド形状の複数の金属アンテナを有し、入射光に対して、前記金属アンテナ内の電子が振動することにより光を輻射する発光機構と、
単極性ノイズを、前記金属アンテナに与える単極性ノイズ出力部と
を備える発光装置。
＜２＞
前記単極性ノイズが前記金属アンテナに連続して作用する作用時間が、前記入射光の周期の1/2以下の時間である
＜１＞に記載の発光装置。
＜３＞
前記単極性ノイズ出力部は、
端面の電荷濃度が変調されることにより、前記単極性ノイズを出力する単極性ノイズ出力機構と、
前記単極性ノイズ出力機構の端面の電荷濃度を変調するランダム電磁波を発生するランダム電磁波発生部と
を有する
＜１＞又は＜２＞に記載の発光装置。
＜４＞
前記単極性ノイズ出力機構は、誘電体を導体で挟んだコンデンサ構造を有する
＜３＞に記載の発光装置。
＜５＞
前記発光機構は、前記誘電体を挟む一方の導体側と他方の導体側とのそれぞれに、前記金属アンテナが配置された２段構造発光機構で構成される
＜４＞に記載の発光装置。
＜６＞
前記発光機構は、
前記金属アンテナの長手方向を所定の方向に向けて、前記金属アンテナが配置された前記２段構造発光機構と、
前記金属アンテナの長手方向を所定の方向と異なる方向に向けて、前記金属アンテナが配置された前記２段構造発光機構と
がマトリクス状に配置されて構成される
＜５＞に記載の発光装置。
＜７＞
前記複数の金属アンテナは、前記金属アンテナの長手方向を同一方向に向けて配置される
＜１＞ないし＜５＞のいずれかに記載の発光装置。
＜８＞
ロッド形状の複数の金属アンテナを有し、入射光に対して、前記金属アンテナ内の電子が振動することにより光を輻射する発光機構の前記金属アンテナに、単極性ノイズを与えることを含む発光方法。
【符号の説明】
【０２２０】
１１  光源，  １２  発光機構，  １２Ｈ，１２Ｖ  ２段構造発光機構，  １３  金属アンテナ，  ２０  単極性ノイズ出力部，  ２１  単極性ノイズ発生部，  ２２  金属バー，  ３１  ランダム電磁波発生部，  ３２  単極性ノイズ出力機構，  ４１  電池，  ４２，４３  導体，  ４４  誘電体，  ５０  単極性ノイズ出力機構，  ５１  金属バー，  ６０  単極性ノイズ出力機構，  ６１  電池，  ６２，６３  導体，  ６４  誘電体，  ７０  単極性ノイズ出力機構
【図１】
2017075976.tif 000003
【図２】
2017075976.tif 000004
【図３】
2017075976.tif 000005
【図４】
2017075976.tif 000006
【図５】
2017075976.tif 000007
【図６】
2017075976.tif 000008
【図７】
2017075976.tif 000009
【図８】
2017075976.tif 000010
【図９】
2017075976.tif 000011
【図１０】
2017075976.tif 000012
【図１１】
2017075976.tif 000013
【図１２】
2017075976.tif 000014
【図１３】
2017075976.tif 000015
【図１４】
2017075976.tif 000016
【図１５】
2017075976.tif 000017
【図１６】
2017075976.tif 000018